(57)【特許請求の範囲】
【請求項１】
金管楽器のベルと対向して配置される底部と、該底部の周縁から上方に連設される周壁部とを有し、該ベルを外側からカバーするカバー体と、
該カバー体の内部に装着され、該金管楽器の演奏音を弱音にする、非通気性の素材で形成される弱音部材と、
該カバー体の内部に装着されることで該弱音部材に載置される、通気性の素材で形成される第１の緩衝部材と、
該周壁部の内側の上方に周設される第２の緩衝部材とを備え、
該弱音部材を該カバー体の底部に載置した後、該第１の緩衝部材を該弱音部材に載置するとともに、該第２の緩衝部材の底部によって、該第１の緩衝部材の外周縁部を係止することで組み立てられることを特徴とする金管楽器用弱音器。
【請求項２】
該カバー体が非通気性の素材で形成されていることを特徴とする請求項１に記載の金管楽器用弱音器。
【請求項３】
該周壁部の縁部の一部が凹陥状に形成されていることを特徴とする請求項１又は２に記載の金管楽器用弱音器。
【請求項４】
該第２の緩衝部材が非通気性の素材で形成されていることを特徴とする請求項１乃至３のいずれかに記載の金管楽器用弱音器。
【請求項５】
該カバー体が円筒状に形成されるとともに、
該弱音部材及び該第１の緩衝部材が円形板状に形成されていること
を特徴とする請求項１乃至４のいずれかに記載の金管楽器用弱音器。
【請求項６】
該第１の緩衝部材の中央部が空洞に形成されていることを特徴とする請求項１乃至５のいずれかに記載の金管楽器用弱音器。
【請求項７】
該弱音部材及び該第１の緩衝部材が該カバー体に着脱自在に装着可能であることを特徴とする請求項１乃至６のいずれかに記載の金管楽器用弱音器。
【発明の詳細な説明】
【技術分野】
【０００１】
本発明は、金管楽器用の弱音器に関し、より詳しくは、トランペット等の金管楽器のベルを外側からカバーすることで、吹奏時の息の抵抗を小さくしつつも、金管楽器の音量を大幅に弱めることのできる金管楽器用弱音器に関する。
【背景技術】
【０００２】
従来では、金管楽器の音量を弱めるものとして、金管楽器のベル（以下、「ベル」という。）の開口部に着脱自在に取り付けられるカップ型の弱音器が使用されてきた。
【０００３】
しかし、このカップ型の弱音器は、ベルの開口部を完全に塞ぐことで、金管楽器の音量を弱めていたことから、吹奏時の息の抵抗は大きくなり、吹奏者が息苦しさを感じてしまうという問題があった。
【０００４】
そこで、このような問題を解決しようとするものとして、非特許文献１に記載されている金管楽器用弱音器が知られている。
【０００５】
この非特許文献１に記載の金管楽器用弱音器は、ベルに装着するための非通気性の素材で形成される円筒型のカバー体と、該カバー体の内部に装着され、通気性の素材で形成される、リング状からなる４つのスポンジ部材と、該リング状からなるスポンジ部材の中央空洞部に嵌合され、通気性の素材で形成される、円形状からなる４つのスポンジ部材とから構成されており、該カバー体の周側面には、８つの通気孔が形成されるとともに、背面側の全周縁部には、該カバー体が該ベルから脱落することを防止するための非通気性の素材からなるストッパー部材が形成されている。
【０００６】
そして、非特許文献１に記載の金管楽器用弱音器は、該リング状からなるスポンジ部材を該カバー体の内部に装着した後、該円形状からなるスポンジ部材を該リング状からなるスポンジ部材の中央空洞部に嵌合し、該カバー体をベルに装着することで、金管楽器の音量を弱めることができるようになっている。
【先行技術文献】
【非特許文献】
【０００７】
【非特許文献１】ソフトーンミュート  ＴＰ／Ｃｏｒ用、お茶の水下倉楽器ウェブショップ〔平成２６年８月２０日検索〕、インターネット＜URL: https://www.shimokura-webshop.com/products/detail.php?product_id=47527&category_id=655＞
【発明の概要】
【発明が解決しようとする課題】
【０００８】
しかし、非特許文献１に記載されている金管楽器用弱音器のカバー体の内部には、リング状及び円形状からなるスポンジ部材のみが装着されていることから、カバー体の内部は、実質的に空洞に近い状態となっている（スポンジ部材は通気性の素材のため）。そのため、係る金管楽器用弱音器を金管楽器に装着した状態で吹奏すると、吹奏者が金管楽器に吹き込んだ息は、抵抗なく、リング状及び円形状からなるスポンジ部材を経由して、カバー体の周側面に形成される通気孔から、勢いよく外部へ排出されることになる。
【０００９】
このため、非特許文献１に記載されている金管楽器用弱音器では、吹奏時の息の抵抗を小さくすることはできるものの、その分、金管楽器の吹奏音は、通気孔から係る金管楽器用弱音器の外部へ漏れ出してしまうため、金管楽器の音量を大幅に弱めることができない。すなわち、非特許文献１に記載されている金管楽器用弱音器では、「吹奏時の息の抵抗を小さくすること」と「金管楽器の音量を大幅に弱める」という２つの課題を同時に解決することができない。
【００１０】
また、非特許文献１に記載されている金管楽器用弱音器は、これを金管楽器に装着する際、カバー体がベルから脱落することを防止すべく、ストッパー部材を、ベルの外側全周縁部に引っ掛けなければならないことから、金管楽器への装着を簡易迅速に行うことができない。また、非特許文献１に記載されている金管楽器用弱音器が、このように金管楽器に装着されることで、係る金管楽器用弱音器を金管楽器からスムーズに取り外すことも困難となる。
【００１１】
さらに、非特許文献１に記載されている金管楽器用弱音器は、部品数が多く（カバー体、リング状からなる４つのスポンジ部材、円形状からなる４つのスポンジ部材、８つの通気孔及びストッパー部材）、構造も複雑であることから、製造に手間を要するばかりか、これを使用する際、各部品を組み立てるのに時間を要する。
【００１２】
そこで、本発明は、上記点に鑑みてなされたものであり、ベルを外側からカバーすることで、吹奏時の息の抵抗を小さくしつつも、金管楽器の音量を大幅に弱めることができるとともに、ベルへの着脱を容易に行うことのできる金管楽器用弱音器を提供することを目的とするものである。
【課題を解決するための手段】
【００１３】
請求項１の発明に係る金管楽器用弱音器は、金管楽器のベルと対向して配置される底部と、該底部の周縁から上方に連設される周壁部とを有し、該ベルを外側からカバーするカバー体と、該カバー体の内部に装着され、該金管楽器の演奏音を弱音にする、非通気性の素材で形成される弱音部材と、該カバー体の内部に装着されることで該弱音部材に載置される、通気性の素材で形成される第１の緩衝部材と、該周壁部の内側の上方に周設される第２の緩衝部材とを備え、該弱音部材を該カバー体の底部に載置した後、該第１の緩衝部材を該弱音部材に載置するとともに、該第２の緩衝部材の底部によって、該第１の緩衝部材の外周縁部を係止することで組み立てられることを特徴とする。
【００１４】
請求項２の発明に係る金管楽器用弱音器は、請求項１に記載の発明に係る金管楽器用弱音器において、該カバー体が非通気性の素材で形成されていることを特徴とする。
【００１５】
請求項３の発明に係る金管楽器用弱音器は、請求項１又は２に記載の発明に係る金管楽器用弱音器において、該周壁部の縁部の一部が凹陥状に形成されていることを特徴とする。
【００１７】
請求項４の発明に係る金管楽器用弱音器は、請求項１乃至３のいずれかに記載の発明に係る金管楽器用弱音器において、該第２の緩衝部材が非通気性の素材で形成されていることを特徴とする。
【００１８】
請求項５の発明に係る金管楽器用弱音器は、請求項１乃至４のいずれかに記載の発明に係る金管楽器用弱音器において、該カバー体が円筒状に形成されるとともに、該弱音部材及び該第１の緩衝部材が円形板状に形成されていることを特徴とする。
【００１９】
請求項６の発明に係る金管楽器用弱音器は、請求項１乃至５のいずれかに記載の発明に係る金管楽器用弱音器において、該第１の緩衝部材の中央部が空洞に形成されていることを特徴とする。
【００２０】
請求項７の発明に係る金管楽器用弱音器は、請求項１乃至６のいずれかに記載の発明に係る金管楽器用弱音器において、該弱音部材及び該第１の緩衝部材が該カバー体に着脱自在に装着可能であることを特徴とする。
【発明の効果】
【００２１】
請求項１に記載の発明は、弱音部材をカバー体の底部に載置した後、第１の緩衝部材を弱音部材に載置するとともに、第２の緩衝部材の底部によって、第１の緩衝部材の外周縁部を係止することで組み立てられることを特徴とすることから、ベルを外側からカバーすることで、吹奏時の息の抵抗を小さくしつつも、金管楽器の音量を大幅に弱めることができる。
【００２２】
このことを具体的に説明すると、本発明を用いて、ベルを外側からカバーすると、ベルは、完全とはいえないが、密閉に近い状態で閉塞されることから、吹奏者が金管楽器に吹き込んだ息は、第１の緩衝部材を経由して、カバー体の内部に放出され、最終的には、ベルの外周縁部と第２の緩衝部材の底部との間に生じるわずかな隙間から、外部へ排出されることになる（すなわち、吹奏者から金管楽器に吹き込まれた息は、勢いよく外部へ排出されない）。このため、本発明では、吹奏者から金管楽器に吹き込まれた息は、カバー体の内部に留まることなく、外部へ排出されることから、吹奏時の息の抵抗を小さくすることができる。
【００２３】
そして、本発明では、カバー体の底部に載置される弱音部材が、金管楽器の吹奏音が外部へ漏れ出すことを抑制するとともに、吹奏者から金管楽器に吹き込まれた息の勢いを軽減する役割を有することから、金管楽器の音量を大幅に弱めることもできる。このように、本発明によれば、「吹奏時の息の抵抗を小さくすること」と「金管楽器の音量を大幅に弱める」という２つの課題を同時に解決することができる。
【００２４】
さらに、本発明では、このように構成されることによって、ベルへの着脱を容易に行うことができるとともに、カバー体の周壁部の内側の上方には、第２の緩衝部材が周設されていることから、ベルを外側からカバーする際に、ベルの外周縁部が傷つくことを防止することができる。
【００２５】
加えて、本発明は、部品数が少なく、構造もシンプルであることから、製造に手間を要することはない。また、これの使用時には、各部品を容易に組み立てることも可能である。
【００２６】
請求項２に記載の発明は、カバー体が非通気性の素材で形成されていることから、請求項１に記載の発明の効果に加えて、さらに、金管楽器の音量を弱めることができる。
【００２７】
請求項３に記載の発明は、カバー体の周壁部の縁部の一部を凹陥状に形成することで、ベルの外周とカバー体の周壁部の縁部との間に生じる隙間を広げることができることから、請求項１又は２に記載の発明の効果に加えて、さらに、吹奏時の息の抵抗を小さくすることができる。
【００２９】
請求項４に記載の発明は、第２の緩衝部材が非通気性の素材で形成されていることから、請求項１乃至３に記載の発明の効果に加えて、さらに、金管楽器の音量を弱めることができる。
【００３０】
請求項５に記載の発明は、カバー体が円筒状に形成されるとともに、弱音部材及び第１の緩衝部材が円形板状にて形成されていることから、金管楽器用弱音器自体の形状をベルの形状に一致させることができる。これにより、本発明では、請求項１乃至４に記載の発明の効果に加えて、さらに、ベルへの着脱を容易に行うことができる。また、見た目にも違和感のない金管楽器用弱音器を提供することもできる。
【００３１】
請求項６に記載の発明は、第１の緩衝部材の中央部が空洞に形成されていることから、吹奏者から金管楽器に吹き込まれた息の一部は、第１の緩衝部材に遮られることなく、スムーズにカバー体の内部に送り込まれることになる。よって、本発明では、請求項１乃至５に記載の発明の効果に加えて、さらに、吹奏時の息の抵抗を小さくすることができる。
【００３２】
請求項７に記載の発明は、弱音部材及び第１の緩衝部材がカバー体に着脱自在に装着可能であることから、吹奏時の息の抵抗をより小さくしたいよう場合には、第１の緩衝部材をカバー体から取り外す等して、息の抵抗具合を調整することができる。このように、本発明では、請求項１乃至６に記載の発明の効果に加えて、さらに、吹奏時の状況に応じた様々な使用が可能となる。また、各部材（カバー体、弱音部材及び第１の緩衝部材）の手入れ（清掃等）が容易に行えるという効果も奏する。
【図面の簡単な説明】
【００３３】
【図１】本発明の実施例１に係る金管楽器用弱音器のカバー体の平面図である。
【図２】本発明の実施例１に係る金管楽器用弱音器の弱音部材の平面図である。
【図３】本発明の実施例１に係る金管楽器用弱音器の第１の緩衝部材の平面図である。
【図４】本発明の実施例１に係る金管楽器用弱音器を組み立てた状態の斜視図である。
【図５】本発明の実施例１に係る金管楽器用弱音器を組み立てた状態の平面図である。
【図６】本発明の実施例１に係る金管楽器用弱音器の図５Ａ−Ａ線断面図である。
【図７】本発明の実施例１に係る金管楽器用弱音器を用いて、金管楽器のベルを外側からカバーしている状態を表す断面図である。
【発明を実施するための形態】
【００３４】
以下、図面を用いて本発明の詳細を説明する。
【実施例１】
【００３５】
まず、図１乃至図６を用いて、本発明の実施例１に係る金管楽器用弱音器１００の形態及び組立て方法について説明する。
【００３６】
図１は本発明の実施例１に係る金管楽器用弱音器のカバー体の平面図であり、図２は本発明の実施例１に係る金管楽器用弱音器の弱音部材の平面図である。図３は本発明の実施例１に係る金管楽器用弱音器の第１の緩衝部材の平面図であり、図４は本発明の実施例１に係る金管楽器用弱音器を組み立てた状態の斜視図を表す。図５は本発明の実施例１に係る金管楽器用弱音器を組み立てた状態の平面図であり、図６は本発明の実施例１に係る金管楽器用弱音器の図５Ａ−Ａ線断面図を表す。
【００３７】
図４乃至図６に示すように、金管楽器用弱音器１００は、カバー体１０、弱音部材２０及び第１の緩衝部材３０を備える。
【００３８】
［カバー体１０］
図１、図４及び図６に示すように、カバー体１０は、全体が円筒状にて形成されており、底部１３と底部１３の周縁から上方に連設される周壁部１４とを有する。周壁部１４は、上端側から下端側にかけて、なだらかに傾斜するよう形成されており、周壁部１４の下端側の縁部には、底の浅い凹弧状からなる凹陥部１２が形成されている（すなわち、周壁部１４の縁部の一部が凹陥状に形成されている）。また、周壁部１４の内側の上方には、周壁部１４の下端側付近（凹陥部１２が形成されている箇所）の内側を除いて、棒状からなる第２の緩衝部材１１が周設されている。
【００３９】
カバー体１０の寸法は、ベルの開口部の外径に応じて（金管楽器の種類に応じて）決定される。例えば、一般的なトランペットに使用される場合、カバー体１０の底部１３の外径は概ね１４．５ｃｍ、周壁部１４の上端側（凹陥部１２が形成されていない箇所）の高さは概ね９ｃｍ、周壁部１４の下端側（凹陥部１２が形成されている箇所）の高さは概ね７ｃｍに形成される。また、第２の緩衝部材１１の短手方向の長さは概ね２ｃｍ、長手方向の長さは概ね２７ｃｍ、厚みは概ね１ｃｍに形成され、凹陥部１２は、周壁部１４の縁部外周の１／４程度の長さに形成される（以下、一般的なトランペットのベルに使用されることを前提に、金管楽器用弱音器１００の各寸法について説明する）。
【００４０】
なお、カバー体１０及び第２の緩衝部材１１は、弱音効果を高めるべく、非通気性の素材で形成することが好ましい。例えば、カバー体１０については、表地をポリウレタン合皮等で形成し、裏地をポリエステルタフタ等で形成することもできる。また、第２の緩衝部材１１については、例えば、第２の緩衝部材１１自体をウレタンフォーム等にて成形し、これをポリエステルタフタ等で覆うようにして形成することもできる。
【００４１】
［弱音部材２０］
図２に示すように、弱音部材２０は、円形板状にて形成されており、外径は概ね１４ｃｍ、厚みは概ね２ｃｍに形成される。また、弱音部材２０は、非通気性の素材で形成される。例えば、弱音部材２０自体をウレタンフォーム等にて成形し、これをポリエステルタフタ等で覆うようにして形成するとよい。
【００４２】
［第１の緩衝部材３０］
図３に示すように、第１の緩衝部材３０は、ドーナツ形状にて形成されており（中央部が空洞に形成されている）、外径は概ね１４ｃｍ、内径は概ね７ｃｍ、厚みは概ね４ｃｍに形成される。また、第１の緩衝部材３０は、通気性の素材で形成される。例えば、第１の緩衝部材３０自体をウレタンフォーム等にて成形し、これを通気性の布地等で覆うようにして形成するとよい。
【００４３】
次に、金管楽器用弱音器１００の組立て方法について説明する。
【００４４】
図４乃至図６に示すように、金管楽器用弱音器１００は、弱音部材２０をカバー体１０の底部１３に載置した後、第１の緩衝部材３０を弱音部材２０に載置することで組み立てられる。このとき、第１の緩衝部材３０の外周縁部は、第２の緩衝部材１１の底部に係止されることから、弱音部材２０及び第１の緩衝部材３０がカバー体１０から脱落することはない。なお、このとき、弱音部材２０及び第１の緩衝部材３０をカバー体１０に着脱自在に装着できるようにしておくことが好ましい。これにより、吹奏時の状況に応じて、息の抵抗具合を調整することができるとともに、各部材（カバー体１０、弱音部材２０及び第１の緩衝部材３０）の手入れ（清掃等）を容易に行うことができるからである。
【００４５】
最後に、図７を用いて、本発明の実施例１に係る金管楽器用弱音器１００の使用方法について説明する。
【００４６】
図７は本発明の実施例１に係る金管楽器用弱音器を用いて、金管楽器のベルを外側からカバーしている状態を表す断面図である。
【００４７】
まず、ベル４０が外側からカバーされるよう、凹陥部１２を下側に位置させた状態で、カバー体１０の開口面にベル４０を挿入する。このとき、ベル４０の外周縁部を第１の緩衝部材３０に押しあてるようにするとよい。これにより、ベル４０の外周縁部は、第１の緩衝部材３０の外周縁部と第２の緩衝部材１１の底部の間に嵌め込まれることになることから、金管楽器用弱音器１００がベル４０から脱落することはない。
【００４８】
なお、このとき、ベル４０の外周縁部と第２の緩衝部材１１の底部との間には、わずかな隙間（以下、「隙間部ａ」という。）が生じるとともに、上記のとおり、凹陥部１２が形成されている箇所には、第２の緩衝部材１１が周設されていないことから、ベル４０の外周縁部と凹陥部１２が形成されている箇所との間には、隙間部ａよりも若干大きめの隙間（以下、「隙間部ｂ」という。）が生じることになる。すなわち、ベル４０は、完全とはいえないが、密閉に近い状態で閉塞されることになる。
【００４９】
そして、この状態のまま、吹奏者が金管楽器２００に息Ａを吹き込むと、吹き込まれた息Ａは、第１の緩衝部材３０を経由して、カバー体１０の内部に放出され（第１の緩衝部材３０の中央部に形成される空洞を通過する息Ａは、第１の緩衝部材３０を経由せず直接、カバー体１０の内部に放出される）、放出された息Ａは、弱音部材２０に跳ね返されるとともに（息Ｂ、Ｃ）、隙間部ａ、ｂに代表されるベル４０の全周縁部（長さは概ね３２ｃｍ）から外部へ排出されることになる（息Ｄ、Ｅ）。
【００５０】
このように、カバー体１０の内部に放出された息Ａは、その勢いのまま、外部に排出されることはなく、一度、弱音部材２０に跳ね返されることよって、勢いが軽減し、外部へ排出されることから、金管楽器２００の音量は、大幅に弱められることになる。また、弱音部材２０自体が、金管楽器２００の吹奏音が外部へ漏れ出すことを抑制するため、確実に金管楽器２００の音量を大幅に弱めることができる。
【００５１】
また、第１の緩衝部材３０の中央部が空洞に形成されていることから、吹奏者から金管楽器２００に吹き込まれた息Ａの一部は、第１の緩衝部材３０を経由することなく、スムーズにカバー体１０の内部に送り込まれるとともに、カバー体１０の内部に放出された息Ａは、カバー体１０の内部に留まることなく、隙間部ａ、ｂに代表されるベル４０の全周縁部を経由して、外部へ排出されることから、吹奏時の息の抵抗は小さくなる。
【００５２】
以上より、本発明によれば、金管楽器２００の音量を大幅に弱めることができるとともに、吹奏時の息の抵抗を小さくすることができることから、「吹奏時の息の抵抗を小さくすること」と「金管楽器の音量を大幅に弱める」という２つの課題を同時に解決することができる。
【００５３】
また、本発明では、カバー体１０の開口面にベル４０を挿入するだけで、ベル４０を外側からカバーすることができるとともに、カバー体１０、弱音部材２０及び第１の緩衝部材３０を上記形状に形成することで、金管楽器用弱音器１００自体の形状をベル４０の形状に一致させることができることから、ベル４０への着脱を容易に行うことができる（見た目にも違和感のない金管楽器用弱音器１００を提供することもできる）。
【００５４】
さらに、本発明では、周壁部１４の内側の上方に、第２の緩衝部材１１が周設されていることから、ベル４０を外側からカバーする際に、ベル４０の外周縁部が傷つくことを防止することもできる。
【００５５】
そして、本発明では、弱音部材２０及び第１の緩衝部材３０がカバー体１０に着脱自在に装着可能であることから、吹奏時の息の抵抗をより小さくしたいよう場合には、第１の緩衝部材３０をカバー体１０から取り外す等して、息の抵抗具合を調整することもできる（吹奏時の状況に応じた様々な使用が可能となる）。また、各部材（カバー体１０、弱音部材２０及び第１の緩衝部材３０）の手入れ（清掃等）が容易に行えるという効果も奏する。
【００５６】
最後に、本発明では、部品数が少なく、構造もシンプルであることから、製造に手間を要することはなく、また、使用時には、各部品を容易に組み立てることも可能である。
【００５７】
なお、本実施例では、一般的なトランペットのベルに使用されることを前提に、金管楽器用弱音器１００の各寸法（カバー体１０、弱音部材２０及び第１の緩衝部材３０）について説明したが、上述のとおり、これらの寸法は、ベルの開口部の外径に応じて（金管楽器の種類に応じて）、適宜決定されるものである。
【００５８】
また、本実施例では、カバー体１０の形状を円筒状にて形成するものとしているが、カバー体１０でベル４０を外側からカバーすることができるのであれば、カバー体１０の形状はこれに限られるものではない。例えば、カバー体１０の形状を、平面視において矩形状からなる筒状に形成することもできる。なお、このとき、弱音部材２０又は第１の緩衝部材３０を、カバー体１０の形状（平面視において矩形状）に合わせて、矩形状に形成することもできる。
【００５９】
さらに、本実施例では、弱音効果を高めるべく、カバー体１０及び第２の緩衝部材１１を非通気性の素材で形成するものとしているが、「吹奏時の息の抵抗を小さくすること」に重点を置くのであれば、これらを通気性の素材で形成することもできる。なお、これらを通気性の素材で形成したとしても、カバー体１０の内部に放出された息Ａは、その勢いのまま、外部に排出されることはなく、一度、弱音部材２０に跳ね返されることよって、勢いが軽減し、また、弱音部材２０自体が、金管楽器２００の吹奏音が外部へ漏れ出すことを抑制することから、十分な弱音効果を得ることができる。
【００６０】
また、本実施例では、周壁部１４の下端側の縁部に、底の浅い凹弧状からなる凹陥部１２を形成するものとしているが、「金管楽器の音量を大幅に弱める」という点に重点を置くのであれば、周壁部１４の下端側の縁部に凹陥部１２を形成しないようにすることもできる。なお、このように凹陥部１２を形成しないものとしても、吹奏者から金管楽器２００に吹き込まれた息Ａは、カバー体１０の内部に留まることなく、隙間部ａを経由して、外部へ排出されることから、吹奏時の息の抵抗が必要以上に大きくなることはない。
【００６１】
他方、この場合において、「吹奏時の息の抵抗を小さくすること」に重点を置くのであれば、底の浅い凹弧状からなる凹陥部１２に代えて、周壁部１４の下端側の縁部に、側面視コ字状等からなる底の深い凹陥部を形成するようにしてもよい。なお、このように構成したとしても、カバー体１０の内部に放出された息Ａは、その勢いのまま、外部に排出されることはなく、一度、弱音部材２０に跳ね返されることよって、勢いが軽減し、また、弱音部材２０自体が、金管楽器２００の吹奏音が外部へ漏れ出すことを抑制することから、十分な弱音効果を得ることができる。
【００６２】
そして、本実施例では、周壁部１４の内側の上方に、周壁部１４の下端側付近（凹陥部１２が形成されている箇所）の内側を除いて、棒状からなる第２の緩衝部材１１を周設するものとしているが、ベル４０を外側からカバーする際に、ベル４０の外周縁部が傷つくことを、より確実に防止したいのであれば、周壁部１４の下端側付近の内側上方にも、第２の緩衝部材１１を周設することができる（第２の緩衝部材１１は、周壁部１４の内側の上方全周に周設される）。なお、この場合においても、吹奏者から金管楽器２００に吹き込まれた息Ａは、カバー体１０の内部に留まることなく、隙間部ａを経由して、外部へ排出されることから、吹奏時の息の抵抗が必要以上に大きくなることはない。
【００６３】
また、本実施例では、周壁部１４の内側の上方に、第２の緩衝部材１１を周設するものとしているが、金管楽器用弱音器１００の構造をよりシンプルにしたいのであれば、周壁部１４の内側の上方に、第２の緩衝部材１１を周設しないようにすることもできる。なお、金管楽器用弱音器１００を、このように構成したとしても、カバー体１０の内部に放出された息Ａは、その勢いのまま、外部に排出されることはなく、一度、弱音部材２０に跳ね返されることよって、勢いが軽減し、また、弱音部材２０自体が、金管楽器２００の吹奏音が外部へ漏れ出すことを抑制することから、十分な弱音効果を得ることができる。また、吹奏者から金管楽器２００に吹き込まれた息Ａは、カバー体１０の内部に留まることなく、ベル４０の外周縁部とカバー体１０の周壁部１４の縁部との間に生じるわずか隙間等から、外部へ排出されるため、吹奏時の息の抵抗は小さくなる。
【００６４】
加えて、本実施例では、第１の緩衝部材３０をドーナツ形状にて形成するものとしているが（中央部が空洞に形成されている）、「金管楽器の音量を大幅に弱める」という点に重点を置くのであれば、第１の緩衝部材３０を、円形板状に形成することもできる（すなわち、中央部に空洞は形成されない）。なお、第１の緩衝部材３０をこのように形成したとしても、吹奏者から金管楽器２００に吹き込まれた息Ａは、カバー体１０の内部に留まることなく、最終的には、隙間部ａ、ｂに代表されるベル４０の全周縁部を経由して、外部へ排出されることから、吹奏時の息の抵抗が必要以上に大きくなることはない。
【００６５】
最後に、本実施例では、弱音部材２０及び第１の緩衝部材３０をカバー体１０に着脱自在に装着できるようにしておくことが好ましいものとしているが、使用時に、金管楽器用弱音器１００の組み立て作業を不要としたいのであれば、これらを着脱自在でないように構成することもできる。
【００６６】
このように、本実施例では、本発明の趣旨を逸脱しない範囲で種々の変更が可能であることはいうまでもない。
【符号の説明】
【００６７】
１０      カバー体
１１      第２の緩衝部材
１２      凹陥部
１３      底部
１４      周壁部
２０      弱音部材
３０      第１の緩衝部材
４０      ベル
１００    金管楽器用弱音器
２００    金管楽器
Ａ〜Ｅ    息
ａ、ｂ    隙間部
【要約】
【課題】トランペット等の金管楽器のベルを外側からカバーすることで、吹奏時の息の抵抗を小さくしつつも、金管楽器の音量を大幅に弱めることのできる金管楽器用弱音器を提供する。
【解決手段】金管楽器用弱音器１００を、金管楽器２００のベル４０と対向して配置される底部１３と、底部１３の周縁から上方に連設される周壁部１４とを有し、ベル４０を外側からカバーするカバー体１０と、カバー体１０の内部に装着され、金管楽器２００の演奏音を弱音にする、非通気性の素材で形成される弱音部材２０と、カバー体１０の内部に装着されることで弱音部材２０に載置される、通気性の素材で形成される第１の緩衝部材３０とを備え、弱音部材２０をカバー体１０の底部１３に載置した後、第１の緩衝部材３０を弱音部材２０に載置することで組み立てるようにする。
【選択図】図７【図１】
0005689559.tif 000002
【図２】
0005689559.tif 000003
【図３】
0005689559.tif 000004
【図４】
0005689559.tif 000005
【図５】
0005689559.tif 000006
【図６】
0005689559.tif 000007
【図７】
0005689559.tif 000008